(57)【要約】  ロストモーションアセンブリを含む可変長アセンブリは、内燃機関バルブトレインの動作のための油圧または空気圧の作動流体を排除し、バルブロッカーアームピボットに一体化されることができる。例示的なピストンおよび作動プレートは、作動プレートがピストンに対して回転されるときに相互作用する作業面を備えている。作業面は、傾斜した移行部分を含み、上部平坦部分および下部平坦部分を含むことができる。浅い傾斜角は、負荷がかかった作動プレートの逆回転を防止する。作動アセンブリは、作動アームに係合して回動し、ピストンに対して作動プレートを回転させ、ロストモーションアセンブリの状態を、動きが吸収されることができる「オフ」状態からロストモーションアセンブリが剛性であって動きを吸収しない「オン」状態に変化させるプランジャを含む、作動ソレノイドを含む。
2022502602.tif 000002
【特許請求の範囲】
【請求項１】
１つ以上のエンジンバルブを作動させるためのバルブトレインを備える内燃機関において、前記１つ以上のエンジンバルブに適用される動作を制御するための可変長アセンブリであって、
ハウジングと、
前記ハウジング内に配置され、その上に画定されたピストン作業面を有するピストンであって、前記ピストン作業面が、少なくとも１つのピストン作業面傾斜部分を含む、ピストンと、
前記ピストンと協調的に関連付けられ、その上に画定された作動プレート作業面を有する作動プレートであって、前記作動プレート作業面が、前記少なくとも１つのピストン作業面傾斜部分に選択的に係合するための少なくとも１つの作動プレート作業面傾斜部分を含む、作動プレートと、
前記作動プレートまたは前記ピストンの少なくとも１つを前記ハウジング内に保持するための保持アセンブリと、
前記ハウジングに対して前記ピストンまたは前記作動プレートの１つを回転させるための作動アセンブリであって、前記ピストンまたは前記作動プレートの回転が、前記可変長アセンブリに長さを変化させて前記バルブトレイン内の間隙を吸収させる、作動アセンブリと、を備える、可変長アセンブリ。
【請求項２】
前記ハウジングが固定ハウジングである、請求項１に記載の可変長アセンブリ。
【請求項３】
前記ハウジングが動的ハウジングである、請求項１に記載の可変長アセンブリ。
【請求項４】
前記ピストンおよび前記作動プレートと協調して関連付けられて付勢力を提供する付勢要素をさらに備える、請求項１に記載の可変長アセンブリ。
【請求項５】
前記ピストン作業面および前記作動プレート作業面が、それぞれ、少なくとも１つの下部平坦面および１つの上部平坦面を含み、前記少なくとも１つのそれぞれの傾斜部分が、前記少なくとも１つの下部平坦面と前記少なくとも１つの上部平坦面との間にそれぞれ延在している、請求項１に記載の可変長アセンブリ。
【請求項６】
前記傾斜部分が、中断を介在させることなく連続的に延在している、請求項１に記載の可変長アセンブリ。
【請求項７】
前記傾斜部分が５度未満の角度で延在している、請求項３に記載の可変長アセンブリ。
【請求項８】
前記傾斜部分がそれぞれ可変ピッチらせん面を含む、請求項１に記載の可変長アセンブリ。
【請求項９】
前記バルブトレインが、ロッカーアームを含み、前記ハウジングが、前記ロッカーアームのためのロッカーアームピボットである、請求項１に記載の可変長アセンブリ。
【請求項１０】
前記ハウジングが、エンジンに固定されかつ前記ピストンおよび前記作動プレートを受け入れるためにその中に画定されたボアを含む、ブリーダブレーキハウジングである、請求項１に記載の可変長アセンブリ。
【請求項１１】
前記作動プレートが前記ハウジングに対して固定されている、請求項１に記載の可変長アセンブリ。
【請求項１２】
前記ピストンおよび前記ハウジングのうちの少なくとも１つが、前記ハウジングに対する前記ピストンの回転を防止するための回転防止要素を含む、請求項１に記載の可変長アセンブリ。
【請求項１３】
前記作動プレートおよび前記ピストンのうちの少なくとも１つが、前記ハウジングに対する回転を防止するための回転防止要素を含む、請求項１に記載の可変長アセンブリ。
【請求項１４】
前記作動プレートおよび前記ピストンのうちの少なくとも１つが、前記ハウジングに対して回転を制限するための回転リミッタを含み、前記回転リミッタが、前記ハウジングに対して、前記バルブトレインにラッシュを設定するように調整可能である、請求項１に記載の可変長アセンブリ。
【請求項１５】
前記作動プレートおよび前記ピストンのうちの少なくとも１つが、前記付勢要素に対して回転動作するように取り付けられている、請求項４に記載の可変長アセンブリ。
【請求項１６】
前記ピストンが肩を含み、前記保持アセンブリが、前記肩に係合して前記ピストンを前記ハウジングに固定するように適合された保持プレートを含む、請求項１に記載の可変長アセンブリ。
【請求項１７】
前記作動アセンブリが、ソレノイド、ステッピングモータ、可変位置アクチュエータまたは可変力アクチュエータのうちの１つを含む、請求項１に記載の可変長アセンブリ。
【請求項１８】
前記ハウジングがロッカーアームである、請求項３に記載の可変長アセンブリ。
【請求項１９】
前記作動アセンブリが前記ロッカーアームに一体化されている、請求項１８に記載の可変長アセンブリ。
【請求項２０】
前記ハウジングがブリーダブレーキハウジングである、請求項２に記載の可変長アセンブリ。
【請求項２１】
前記ピストンと協働して前記作動プレートに対して前記ピストンの回転動作を引き起こす作動リングをさらに備える、請求項２０に記載の可変長アセンブリ。
【請求項２２】
前記作動アセンブリが、前記ピストンまたは作動プレートのうちの１つを回転させるための歯車インターフェースを備える、請求項１に記載の可変長アセンブリ。
【請求項２３】
前記歯車インターフェースが、前記ピストンまたは作動プレートのうちの１つに実質的に一定の回転動作を加える、請求項２２に記載の可変長アセンブリ。
【請求項２４】
前記ハウジング内の前記作動プレートの位置を調整するために前記作動プレートに当接する調整ねじをさらに備える、請求項１６に記載の可変長アセンブリ。
【請求項２５】
前記作動プレート作業面および前記ピストン作業面のうちの少なくとも１つが、可変ピッチらせんの形態を有する少なくとも１つの傾斜を含む、請求項１に記載の可変長アセンブリ。
【請求項２６】
前記少なくとも１つの傾斜が、前記作動プレートおよび前記ピストンのうちの少なくとも１つの円周の約５０度にわたって延在している、請求項２５に記載の可変長アセンブリ。
【請求項２７】
前記少なくとも１つの傾斜が、前記作動プレートおよび前記ピストンのうちの少なくとも１つの異なる半径において異なるピッチおよび曲率を有する、請求項２５に記載の可変長アセンブリ。
【発明の詳細な説明】
【技術分野】
【０００１】
本開示は、一般に、内燃機関のバルブを作動させるためのシステムおよび方法に関する。より具体的には、本開示は、エンジンバルブトレインにおけるロストモーションアセンブリおよびバルブロッカーアームおよびロッカーアームピボットに一体化されることができるロストモーション機能に関連する用途を含む、様々な用途で使用されることができる可変長ピストンアセンブリに関する。本開示は、さらに、ブリーダブレーキシステムにおいて使用されることができる可変長ピストンアセンブリに関する。
【背景技術】
【０００２】
内燃機関は、動作中に１つ以上の燃焼室への可燃性成分、通常は燃料および空気の流れを制御するためのバルブ作動システムを必要とする。そのようなシステムは、エンジン動作中の吸気バルブおよび排気バルブの動きとタイミングを制御する。正出力モードでは、燃料および空気を燃焼用のシリンダに入れるために吸気バルブが開かれ、続いて燃焼生成物がシリンダから逃げることができるように排気バルブが開かれる。この動作は、通常、バルブの「主イベント」動作と呼ばれる。
【０００３】
正出力の主イベント動作に加えて、バルブ作動システムは、エンジン動作中の「補助イベント」を容易にするように構成されることができる。これらは、これらに限定されるものではないが、エンジンブレーキ、排気ガス再循環（ＥＧＲ）および内部排気ガス再循環（ｉＥＧＲ）を含むことができる。これらの補助イベント中に、バルブタイミングと動きが制御されて、エンジンに排気ガスを再循環させて改善された排出ガスを達成したり、エンジンブレーキ動作においてエンジン負荷からエネルギを吸収させたりすることができる。
【０００４】
主イベントの正出力動作モード中のバルブの動きは、通常、動作源として１つ以上の回転カムによって制御される。バルブトレインに配置されたカムフォロア、プッシュロッド、ロッカーアームおよびその他の要素は、カム面からバルブへの動きの直接伝達を提供する。補助イベントの場合、「ロストモーション」装置は、補助イベントバルブの動きを容易にするために、バルブトレインにおいて利用されることができる。ロストモーション装置は、それぞれのカム面のみによる作動の結果として発生する動きと比較して、バルブモーションが変更される技術解決策のクラスを指す。ロストモーション装置は、バルブの主イベント動作に加えて、またはその代替として、補助イベントの選択的発生を容易にするために、その長さ、剛性、または圧縮性が変化および制御される装置を含むことができる。ロストモーション装置は、可変長ピストンアセンブリのより大きなカテゴリのサブクラスとみなすことができ、ロストモーションを伴うものを超えた用途を有することができる。
【０００５】
従来技術のロストモーションシステムは、通常、それらの動作のために油圧または空気圧の作動流体（すなわち、油または空気）に依存している。結果として、そのようなシステムは、そのような作動流体を利用しない、またはロストモーションシステムを作動させるのに十分ではない比較的低い圧力でそのような流体を使用するエンジンに容易に適応することができない。
【０００６】
ロストモーションシステムに加えて、従来技術のバルブ作動システムは、ブリーダブレーキ構成要素によって提供されるブレーキ作用などの他の機能を提供するために作動されることができる可変長要素を必要とすることができる。そのような可変長要素を使用して、エンジンバルブを選択的に作動させて、ブリーダブレーキ動作を発生させることができる。
【０００７】
機械的に相互作用する要素および表面を使用することにより、当該技術分野における別の課題は、エンジンバルブトレイン環境で発生する急速かつ繰り返される循環および応力に耐えることができ、動作中に過大なピーク応力が発生する可能性を低減する作動アセンブリを提供することである。
【０００８】
したがって、従来技術における上述した欠点およびその他に対処するシステムおよび方法を提供することが有利である。
【発明の概要】
【発明が解決しようとする課題】
【０００９】
前述の課題に対応して、特許出願人は、可変長アセンブリおよびシステムの様々な実施形態を提供し、これらは、エンジンバルブ作動システムにおけるロストモーションアセンブリなど、長さが拡張または収縮する可能性のある構成要素を含む用途、またはブリーダブレーキの作動などの他の用途において使用されることができ、可変長装置は、バルブトレインにおいて役立つ。
【課題を解決するための手段】
【００１０】
一態様によれば、動作のための油圧または空気圧作動流体の必要性を排除し、バルブシステム動作中の開始−停止減圧および迅速な循環を容易にするロストモーションアセンブリおよびシステムが提供される。一実施形態では、ロストモーションアセンブリは、バルブロッカーアームピボットに一体化されている。ピストンまたはピボットのベースは、エンジンのシリンダヘッドに取り付けられることができかつ複数のシリンダのバルブトレイン構成要素を支持することができる台座のボア内の静止位置に保持される。ピストンに対する回転動作のために作動プレートが取り付けられている。ばねなどの付勢要素がピストン内のボアまたは凹部に配置されて、作動プレートに付勢力を提供することができる。作動プレートは、台座上で回動動作のために取り付けられたソレノイドおよび作動アームを含むことができる作動アセンブリを可能にする作動ポストを含むことができる。ピストンおよび作動プレートは、ロストモーションアセンブリを、動きが吸収されることができる「オフ」状態、およびロストモーションアセンブリが完全なカム動作を伝達する固体要素として機能する「オン」状態に構成するために、作動プレートがピストンに対して回転されるときに相互作用する作業面を備えている。一実施形態では、作業面は、下部平坦部分、傾斜移行部分、および上部平坦部分を含む。
【００１１】
別の態様によれば、作業面は、連続的な浅い傾斜部分を含むことができる。傾斜角は、ロッカーアームからの負荷がかかったときに作動プレートが逆回転するのを防ぐように十分に浅い。この実施形態では、作業面の平坦部分および不連続性は、低減または排除されることができる。ロストモーションアセンブリが作動されるとき、作動プレートおよびピストンの作業面の浅い傾斜は密接に接触したままであり、接触面の部分的な係合の可能性を低減し、過度の接触応力をもたらす。
【００１２】
さらなる態様によれば、ロストモーションアセンブリは、ラッシュアジャスタを利用するバルブトレインリンケージと組み合わせて提供されることができる。ロストモーションアセンブリは、ロストモーションアセンブリの作動プレートおよびピストンに力を及ぼす内部ばねを含むことができる。力は、ラッシュアジャスタの拡張の試みから生じる力がバルブトレインに加えられたときに、ばねの圧縮、したがってロストモーションアセンブリに抵抗するのに十分である。ロストモーションアセンブリストロークは、ピストンの肩と台座面または保持プレート面との間に配置されたシムを使用して調整されることができる。この支持構造は、ロストモーションアセンブリのストロークを調整する簡単な方法を提供する。ばねは、作動プレートが回転することができる中央の円形突起を含むばねキャップと係合することができる。ばねキャップはまた、ボア内の表面にも係合する。作動プレートは、ロストモーションアセンブリピストンが最大位置（すなわち、シムからの最大リフト）にあるとき、ばねが無負荷であるままのラッシュアジャスタおよび作動プレートによってバルブトレインに加えられる力に対抗するように、小さな間隙を備えることができる。これは、比較的小さな力によって作動プレートの作動を容易にする。
【００１３】
さらなる態様によれば、ロストモーションアセンブリを取り付けるための保持アセンブリが提供される。保持アセンブリは、ロッカーアームピボット、ロッカーアームおよび他のバルブ作動構成要素を取り付けるために使用される台座のボアを含むことができる。ピストンおよび作動プレートアセンブリは、ボア内に保持されることができる。台座内でのピストンの回転を防ぐために、ピストン本体に回転防止キーが設けられることができる。環状保持プレートは、ロストモーションアセンブリピストンの肩に係合し、ねじ付き留め具によって台座に固定され、それによって、ピストンおよび作動プレートアセンブリを台座のボア内に保持することができる。
【００１４】
さらなる態様によれば、ロストモーションアセンブリ用の作動アセンブリが提供される。一実施形態では、作動プレート上の作動ポストは、台座に形成されたスロットを通って延在することができ、台座に回動可能に取り付けられた作動アームと係合することができる。作動ソレノイドは、ロストモーションアセンブリの作動が望まれるときに作動アームに係合して回動させるプランジャを含む。この動きは、ピストンに対して作動プレートを回転させ、ロストモーションアセンブリの状態を、動きが吸収されることができる「オフ」状態から、ロストモーションアセンブリが剛性で動きを吸収しない「オン」状態に変更する。
【００１５】
一態様によれば、可変長アセンブリを備えるロストモーションアセンブリは、ロッカーアームに一体化されることができる。ロストモーション作動アセンブリはまた、ロッカーアームに一体化されている。ロストモーションアセンブリは、例えば、バルブステムと接触するロッカーアームの動作付与端部に一体化されることができる。作業面を有する作動プレートは、ロッカーアーム内で軸方向に移動することができるが回転することはできないピストンに対して回転することができる。例えば、ロッカーアームシャフト内をロッカーアームのポートを通って流れる油を利用する空気圧、電磁または油圧アクチュエータとすることができるアクチュエータは、直線的に移動することができ、リンケージを介して、作動プレートを回転させて、ロストモーションアセンブリの状態を、動きが吸収されることができる「オフ」状態から、ロストモーションアセンブリが剛性で動きを吸収しない「オン」状態に変更することができる。
【００１６】
さらなる態様によれば、可変長アセンブリは、ブリーダブレーキハウジングに一体化され、ブリーダブレーキ用途のために１つ以上のバルブを作動させるために使用されることができる。固定プレートは、ブリーダブレーキハウジング内に固定されており、回転防止機能を有することができる。ピストンは、ハウジング内で回転および軸方向に移動するために取り付けられている。固定プレートおよびピストンの双方は、ピストンが固定プレートに対して回転するときにピストンの軸方向の動きを提供するために互いに係合する相互作用する作業面を有する。ピン付きの作動リングは、ピストンのポケットに係合し、ピストンの回転動作を可能にすることができる。ばねは、ピン上およびピストンのポケット内に配置されて、正の出力動作中に固定プレートに向かう方向およびエンジンバルブから離れる方向においてピストンに比較的低い付勢力を提供することができる。ソレノイド作動アセンブリは、ハウジングに一体化され、軸方向の動きを提供することができ、これは、リンケージを介して、ハウジング内のピストンの回転動作をもたらす。したがって、ソレノイドの作動は、アセンブリが最小の長さを有する「オフ」状態から、アセンブリが最大の長さを有する「オン」状態への可変長アセンブリに対する状態変化をもたらす。
【００１７】
さらなる態様によれば、可変長アセンブリは、らせん接触面が半径方向に湾曲したプロファイルを有するらせん相互作用面を含むことができる。これは、表面の係合部分全体に均一に分散された接触応力を提供し、ピストンの軸の近くでの高い接触応力を回避する。そのような構成では、動作中の最大またはピーク接触応力が低減されることができる。
【００１８】
本開示の他の態様および効果は、以下の詳細な説明から当業者に明らかになり、上記の態様は、包括的または制限的であるとみなされるべきでない。上記の一般的な説明および以下の詳細な説明は、本開示の発明的態様の実施例を提供することを意図しており、決して、添付の特許請求の範囲で定義された範囲を制限または拘束するものと解釈されるべきでない。
【００１９】
特許または特許出願ファイルは、カラーで実行された少なくとも１つの図面を含む。カラー図面を有するこの特許または特許出願の公開物の写しは、請求および必要な料金の支払いに応じて、特許庁によって提供される。
【００２０】
上記および他の本発明の付随する効果および特徴は、全体を通して同じ参照符号が同じ要素を表す添付図面とともに、以下の詳細な説明から明らかになるであろう。説明および実施形態は、本開示の態様にかかる例示的な実施例を意図しており、また、本明細書に添付された特許請求の範囲に記載された本発明の範囲に限定されることを意図していないことが理解されるであろう。
【図面の簡単な説明】
【００２１】
【図１】図１は、本開示の態様を実装するのに適した内燃機関環境の構成要素の断面図である。
【図２】図２は、エンジン動作中に発生する可能性のある主イベントおよび補助イベントのバルブリフトおよびクランク角度を相関させる曲線を示している。
【図３】図３は、ロッカーアームの中央ピボットに一体化されたロストモーションアセンブリの例を示す部分断面図である。
【図４】図４は、図３のロストモーションアセンブリならびに取り付けおよび作動の詳細の分解図である。
【図５Ａ】図５Ａは、ロストモーションアセンブリ用の例示的なアクチュエータピストンおよびアクチュエータプレートの斜視図である。
【図５Ｂ】図５Ｂは、ロストモーションアセンブリ用の例示的なアクチュエータピストンおよびアクチュエータプレートの斜視図である。
【図６Ａ】図６Ａは、図５Ａのアクチュエータピストンおよびアクチュエータプレートの作業面プロファイルのグラフィカル表現である。
【図６Ｂ】図６Ｂは、図５Ｂのアクチュエータピストンおよびアクチュエータプレートの作業面プロファイルのグラフィカル表現である。
【図６Ｃ】図６Ｃは、図５Ａのアクチュエータピストンおよびアクチュエータプレートとともに使用されることができる作業面プロファイルの代替の実施形態のグラフィカル表現である。
【図６Ｄ】図６Ｄは、図５Ｂのアクチュエータピストンおよびアクチュエータプレートとともに使用されることができる作業面プロファイルの代替の実施形態のグラフィカル表現である。
【図７】図７は、作動リンケージおよびソレノイドを示す図４のロストモーションアセンブリの平面図である。
【図８Ａ】図８Ａは、図５Ａの例示的なアクチュエータピストンおよびアクチュエータプレートの動作位置を示す斜視図である。
【図８Ｂ】図８Ｂは、図５Ｂの例示的なアクチュエータピストンおよびアクチュエータプレートの動作位置を示す斜視図である。
【図９Ａ】図９Ａは、図５Ａおよび図５Ｂのロストモーションアセンブリの動作位置の立面図である。
【図９Ｂ】図９Ｂは、図５Ａおよび図５Ｂのロストモーションアセンブリの動作位置の立面図である。
【図９Ｃ】図９Ｃは、図５Ａおよび図５Ｂのロストモーションアセンブリの動作位置の立面図である。
【図１０Ａ】図１０Ａは、代替の例示的なアクチュエータピストンおよびアクチュエータプレートの斜視図である。
【図１０Ｂ】図１０Ｂは、代替の例示的なアクチュエータピストンおよびアクチュエータプレートの斜視図である。
【図１１Ａ】図１１Ａは、図１０Ａのアクチュエータピストンおよびアクチュエータプレートの作業面プロファイルのグラフィカル表現である。
【図１１Ｂ】図１１Ｂは、図１０Ｂのアクチュエータピストンおよびアクチュエータプレートの作業面プロファイルのグラフィカル表現である。
【図１２Ａ】図１２Ａは、図１０Ａおよび図１０Ｂの例示的なアクチュエータピストンおよびアクチュエータプレートの動作位置を示す組み立てられた立面図である。
【図１２Ｂ】図１２Ｂは、図１０Ａおよび図１０Ｂの例示的なアクチュエータピストンおよびアクチュエータプレートの動作位置を示す組み立てられた立面図である。
【図１３】図１３は、図１０Ａのアクチュエータピストンの接触面を示す平面図である。
【図１４Ａ】図１４Ａは、図１０Ａおよび図１０Ｂの例示的なアクチュエータピストンおよびアクチュエータプレートの漸進的動作を示す立面図である。
【図１４Ｂ】図１４Ｂは、図１０Ａおよび図１０Ｂの例示的なアクチュエータピストンおよびアクチュエータプレートの漸進的動作を示す立面図である。
【図１４Ｃ】図１４Ｃは、図１０Ａおよび図１０Ｂの例示的なアクチュエータピストンおよびアクチュエータプレートの漸進的動作を示す立面図である。
【図１４Ｄ】図１４Ｄは、図１０Ａおよび図１０Ｂの例示的なアクチュエータピストンおよびアクチュエータプレートの漸進的動作を示す立面図である。
【図１５Ａ】図１５Ａは、ラッシュアジャスタを備えたシステムにおける代替のロストモーションアセンブリの動作位置を示す断面図である。
【図１５Ｂ】図１５Ｂは、ラッシュアジャスタを備えたシステムにおける代替のロストモーションアセンブリの動作位置を示す断面図である。
【図１５Ｃ】図１５Ｃは、ラッシュアジャスタを備えたシステムにおける代替のロストモーションアセンブリの動作位置を示す断面図である。
【図１６Ａ】図１６Ａは、アクチュエータプレートの動作のための回転動作リミッタを組み込んだ作動システムの平面図である。
【図１６Ｂ】図１６Ｂは、アクチュエータプレートの動作のための回転動作リミッタを組み込んだ作動システムの平面図である。
【図１７】図１７は、代替の動作リミッタの平面図である。
【図１８】図１８は、３つの部分からなるロストモーションアセンブリを示す概略図である。
【図１９Ａ】図１９Ａは、図１８のロストモーションアセンブリの動作位置を概略的に示している。
【図１９Ｂ】図１９Ｂは、図１８のロストモーションアセンブリの動作位置を概略的に示している。
【図１９Ｃ】図１９Ｃは、図１８のロストモーションアセンブリの動作位置を概略的に示している。
【図２０】図２０は、アクチュエータピストンの代替の回転防止構成である。
【図２１】図２１は、ロストモーションアセンブリおよび作動アセンブリがその中に一体化されたロッカーアームの分解図である。
【図２２】図２２は、図２１のロッカーアームの組み立て図である。
【図２３Ａ】図２３Ａは、「オフ」位置を示す、図２１のロストモーションアセンブリの作動アセンブリの平面図である。
【図２３Ｂ】図２３Ｂは、「オフ」位置を示す、図２１のロストモーションアセンブリの作動アセンブリの側面斜視図である。
【図２３Ｃ】図２３Ｃは、「オン」位置を示す、図２１のロストモーションアセンブリの作動アセンブリの平面図である。
【図２３Ｄ】図２３Ｄは、「オン」位置を示す、図２１のロストモーションアセンブリの作動アセンブリの側面斜視図である。
【図２４】図２４は、図２１の作動アセンブリ上のラッシュ設定プレートとして機能することができる動作リミッタの平面図である。
【図２５】図２５は、ブリーダブレーキハウジングに一体化された可変長アセンブリおよび作動アセンブリの分解図である。
【図２６】図２６は、図２５のブリーダブレーキハウジング、可変長アセンブリおよび作動アセンブリの組み立て図である。
【図２７Ａ】図２７Ａは、図２５の作動アセンブリの「オフ」および「オン」位置を示す平面図である。
【図２７Ｂ】図２７Ｂは、図２５の作動アセンブリの「オフ」および「オン」位置を示す平面図である。
【図２８Ａ】図２８Ａは、ブリーダブレーキハウジング内の固定プレートおよび固定プレートレセプタクルの回転防止構成の例を示す平面図である。
【図２８Ｂ】図２８Ｂは、ブリーダブレーキハウジング内の固定プレートおよび固定プレートレセプタクルの回転防止構成の例を示す平面図である。
【図２９】図２９は、ブリーダブレーキハウジング内の可変長アセンブリのラッシュ設定調整機能を示す断面図である。
【図３０】図３０は、可変長アセンブリ用の代替の例示的な作動リングの斜視図である。
【図３１】図３１は、可変長アセンブリ用の作動リング取り付け構成の断面図である。
【図３２】図３２は、可変長アセンブリ用の付勢ばね構成および作動リング取り付け構成の断面図である。
【図３３】図３３は、図３２の取り付け構成によって使用されることができる例示的なピストンの斜視図である。
【図３４Ａ】図３４Ａは、例示的なアクチュエータピストンのそれぞれの作動位置を示す図である。
【図３４Ｂ】図３４Ｂは、例示的なアクチュエータピストンのそれぞれの作動位置を示す図である。
【図３４Ｃ】図３４Ｃは、例示的なアクチュエータピストンのそれぞれの作動位置を示す図である。
【図３５】図３５は、可変長アセンブリにおいて使用されることができる例示的ならせんアクチュエータピストン面の斜視図である。
【図３６】図３６は、図３５のアクチュエータピストン面と併せて使用されることができる例示的ならせん固定プレート面の斜視図である。
【図３７】図３７は、ピストンおよび固定プレート上のらせん相互作用面の概略図である。
【図３８】図３８は、等高線を示すらせんピストン面の詳細な斜視図である。
【図３９Ａ】図３９Ａは、ロストモーションアセンブリピストン上の傾斜面のらせん形状の例を示す、図３５の半径方向平面３９Ａ−３９Ａにおける断面図である。
【図３９Ｂ】図３９Ｂは、ロストモーションアセンブリピストン上の傾斜面のらせん形状の例を示す、図３５の半径方向平面３９Ｂ−３９Ｂにおける断面図である。
【図３９Ｃ】図３９Ｃは、ロストモーションアセンブリピストン上の傾斜面のらせん形状の例を示す、図３５の半径方向平面３９Ｃ−３９Ｃにおける断面図である。
【図３９Ｄ】図３９Ｄは、ロストモーションアセンブリピストン上の傾斜面のらせん形状の例を示す、図３５の半径方向平面３９Ｄ−３９Ｄにおける断面図である。
【図３９Ｅ】図３９Ｅは、ロストモーションアセンブリピストン上の傾斜面のらせん形状の例を示す、図３５の半径方向平面３９Ｅ−３９Ｅにおける断面図である。
【図４０Ａ】図４０Ａは、ロストモーションアセンブリピストンの平坦な傾斜したらせん面における接触応力の図である。
【図４０Ｂ】図４０Ｂは、らせんの大きな半径に向かって付勢された接触領域を有する、ロストモーションアセンブリピストンの湾曲した傾斜したらせん面における接触応力の図である。
【図４１Ａ】図４１Ａは、「オフ」位置にあるロストモーションピストン用のギア作動アセンブリを示す平面図である。
【図４１Ｂ】図４１Ｂは、「オン」位置にあるロストモーションピストン用のギア作動アセンブリを示す平面図である。
【発明を実施するための形態】
【００２２】
図１は、本開示の態様の背景目的および用途に適している米国特許第７，４５８，３５０号明細書に記載されているような内燃機関環境１０を示している。これは、それぞれがセンターボールピボット２０上で回動するロッカーアーム５０によって作動されるオーバーヘッドバルブ１２を有するＶ−８エンジンとすることができる。ロッカーまたはタペットタイプのフォロアとすることができるカムフォロア１４は、次に動作をロッカーアーム５０に伝達する１つ以上のプッシュロッド１６を駆動することができる。各カムローブからの動きは、それぞれのフォロワ１４を駆動することができる。各フォロワ１４は、同じタイプ（吸気または排気）の２つのロッカーアーム５０に連結されて駆動され、それぞれの独立したラッシュアジャスタを介してそれに動作を伝達することができる。このエンジンアーキテクチャは、本特許出願において説明されているロストモーションアセンブリおよび関連する機能の用途に適しているが、当業者は、他のエンジンアーキテクチャが等しく使用されることができることを理解するであろう。さらに、ロストモーション機能は、圧縮解除、ブリーダブレーキ、減圧バルブリフトイベント、およびエンジン動作の他の態様の文脈において適用されることができる。
【００２３】
図２は、典型的なエンジン動作曲線を示しており、これは、エンジン動作中に発生する可能性のある主イベントおよび補助イベントのバルブリフトおよびクランク角度を相関させる。そのような動作は、米国特許第７，９０５，２０８号明細書に記載されており、その教示は、この参照により本明細書に組み込まれる。通常の主イベントバルブの動きは、２つの排気イベント曲線（第１のリフトイベント）の低い方の曲線６０において表される。正の出力の間、リフトは、吸気および排気サイクルのためにバルブに提供される。主イベント動作中、バルブトレイン内のロストモーション構成要素は、圧縮解放イベント６２およびブレーキガス再循環イベント６４におけるバルブリフトを引き起こすバルブトレイン内の動作がバルブリフトをもたらさないように動作を吸収する。曲線７０によって表されるように発生する可能性がある補助イベントの間、ロストモーション構成要素は、圧縮解放イベント７２およびブレーキガス再循環イベント７４がこれらのイベントを実行するためにエンジンサイクルの適切な時間にバルブリフトをもたらすように、バルブトレイン内の動作を吸収しない。
【００２４】
図３は、ロストモーションアセンブリとして使用される可変長アセンブリ１００の部分断面を示しており、これは、ロッカーアーム５０用のロッカーアームピボットなどのハウジングに一体化されることができ、これは、シリンダヘッド上に取り付けられた台座９０に取り付けられることができる。本明細書で使用される場合、ハウジングは、固定ハウジングまたは動的ハウジングを備えることができる。本明細書で使用される場合、構成要素は、バルブ作動動作源によって提供されるバルブ作動動作に対して本質的に（すなわち、設計パラメータおよび許容範囲内で）不動である範囲で「固定」される。対照的に、本明細書で使用される場合、構成要素は、バルブ作動動作源によって提供されるバルブ作動動作によって少なくとも部分的に駆動される動作が可能である範囲で「動的」である。以下に説明する様々な実施形態に記載されるように、ハウジングは、固定される場合、エンジンロッカーアームピボット、ブリーダブレーキハウジング、バルブオーバーヘッド留め具またはエンジン支持構造、またはそれらに取り付けられたブラケットまたは留め具などの構成要素において具体化されることができ、動的な場合、ハウジングは、ロッカーアーム、バルブブリッジ、プッシュロッドまたはカムフォロアを含む多数のバルブトレイン構成要素のいずれかにおいて具体化することができる。ロストモーションアセンブリ１００は、説明されるように、作動リンケージによって制御されて、必要に応じて、ロッカーアームピボット、したがってバルブトレインにロストモーションを提供することができる。説明されるように、アセンブリは、「オフ」位置または状態（非アクティブ化またはロストモーション状態とも呼ばれる）および「オン」状態（アクティブ化またはフルモーション伝達状態とも呼ばれる）に作動されることができる。非アクティブ化状態（図２の曲線６０）では、アセンブリは、固体になって主イベント動作を伝達する前に特定の変形を受け、したがって補助イベント動作を吸収し、主イベント動作のみを伝達することができる。アクティブ化状態（図２の曲線７０）では、ロストモーションアセンブリは、剛性状態にあり、したがって、全てのカムシャフト動作を対応するエンジンバルブに伝達する。
【００２５】
図４は、例示的なロストモーションアセンブリ１００、ならびにそれを取り付けて作動させるための他の構成要素の分解された斜視図である。台座９０は、同数のロッカーアームピボットおよびロッカーアームを取り付けるためのいくつかのステーションを含むことができる。簡単にするために、１つのピボットとロッカーアームのみが示されている。
【００２６】
さらに図５Ａおよび図５Ｂを参照すると、ロストモーションアセンブリ１００は、ピストンまたはベース１１０を含むことができ、これは、一般に円筒形とすることができ、その側面に形成された、またはその側面に固定された１つ以上の回転防止要素またはキー１１２を含むことができる。丸いピボット面１１４は、ピストン１１０の下部に設けられている。内部のくぼみまたはボア１１８は、ばね１４０を受け入れる。ピストン作業面１１６は、そこから延在する作動ポスト１２２を含むアクチュエータプレート１２０上のアクチュエータプレート作業面１２６と相互作用するようにベース１１０上に設けられる。これらの要素とそれらの相互作用については、ここでさらに詳細に説明される。
【００２７】
ロストモーションアセンブリ１００は、以下の方法で、台座９０および他の取り付け構成要素を含むことができる保持アセンブリに組み立てられて設置されることができる。ばね１４０は、凹部１１８に設置され、ばねキャップ１５０は、ばね１４０の上部に設置されている。次に、アクチュエータプレート１２０は、回転動作のためにばねキャップ１５０に設置され、円形の延長部１５２がアクチュエータプレート１２０の対応する円形のくぼみ１２８に嵌合する。次に、これらの組み立てられた構成要素は、ベース１１０の主外径および回転防止要素１１２を受け入れるように形作られた台座９０のボア９４に設置されている。作動ポスト１２２は、台座９０のスロット９２を通って延在することができる。保持リングまたはプレート２３０は、ピストン１１０上に形成されかつ台座９０上の所定の位置に留め具２３２によって保持され、それによってピストン１１０、したがってロストモーションアセンブリ１００を台座９０上の所定の位置に保持する肩１１９と係合することができる。
【００２８】
さらに図７を参照すると、ロストモーションアセンブリ１００は、台座９０に取り付けられたソレノイド２００によって作動されることができる。作動アーム２１０は、留め具２１２によって台座９０に回動可能に取り付けられることができる。ソレノイド２００は、作動アーム２１０上の表面２１１に選択的に係合して力を加え、それによって作動アーム２１０を回転させることができるプランジャを含む。戻りばね２１３は、プランジャの作用に対して付勢力を提供する。作動アームの開口２０９は、作動アーム２１０の回動動作が作動プレート１２０の回転動作およびロストモーションアセンブリ１００の動作をもたらすように、作動ポスト１２２を受け入れる。
【００２９】
図６Ａおよび図６Ｂは、それぞれ、例示的なピストン作業面１１６および作動プレート作業面１２６のグラフィカル表現（縮尺どおりではない）である。これらのグラフの横軸は、ピストンまたは作動プレートの中心の周りの基準点から測定された角度であることが理解されよう。相補的な上部および下部の段付き部分には、それらの間に傾斜した移行部が設けられている。より具体的には、ピストン作業面１１６は、２つの下部プラトーまたは平坦部分１１６．１、２つの傾斜移行部分１１６．２、および２つの上部プラトーまたは平坦部分１１６．３を含むことができる。同様に、作動プレート作業面１２６は、２つの上部プラトーまたは平坦部分１２６．１、２つの傾斜移行部分１２６．２、および２つの下部プラトーまたは平坦部分１２６．３を含むことができる。図６Ａおよび図６Ｂに示されるように、ピストン１１０および作動プレート１２０は、ピストン作業面１１６の２つの下部平坦部分１１６．１が相補的な作動プレート作業面１２６の上部平坦部分１２６．１と整列される動作吸収状態にしたがって、互いに対して配置される（すなわち、回転可能に配置される）。この状態では、以下にさらに説明されるように、ピストン作業面１１６および作動プレート作業面１２６は、それらが通常はばね１４０によって互いに離れるように付勢されるため、それらの間にギャップを有することができる（すなわち、作業面１１６、１２６の間にラッシュスペースが設けられる）が、バルブトレイン内の力が付勢力に打ち勝つのに十分である場合、それ以外の場合は互いに自由に接触し、それによってロストモーションアセンブリ１００が動作を「失う」ことを可能にする。このラッシュスペースの範囲は、ロストモーションアセンブリのストロークと呼ばれることができる。作動プレート１２０がピストンに対して回転され、それによってピストン１１０および作動プレート１２０が動作伝達状態に置かれるとき、図６Ｂのグラフに表されるプロファイルは、図６Ａのグラフに対してシフトし、作業面１１６および１２６は、それらの間の間隙が低減するように相互作用する。具体的には、作動プレート１２０の回転は、作動プレート作業面１２６の上部平坦部分１２６．１をピストン作業面１１６の上部平坦部分１１６．３と位置合わせする。この状態では、作動プレート作業面１２６の上部平坦部分１２６．１とピストン作業面１１６の上部平坦部分１１６．３との間の係合は、ピストン１００と作動プレート１２０との間の相対的な軸方向の動きを防ぎ、ピストン１００に加えられるいかなる動きも失われることを効果的に防ぐ。傾斜移行部は、ねじ山と同様の動きを提供し、２つの動作状態間のスムーズな動作を支援し、摩耗を最小限に抑える。認識されるように、記載された例示的な構成要素の傾斜角および他のパラメータは、部分的な係合の場合でさえ、許容範囲内に動作接触応力を維持するために変更されることができる。例えば、より高いリフトを達成するために、より急な傾斜角および／またはピストンと作動プレートとの間の相対回転角の増加が利用されることができる。２つの傾斜移行部を備えた作動プレートおよびピストン構成の場合、約７０度の相対回転が適切な場合がある。さらに、ピストンの直径、または作業面の直径を大きくして、接触応力を許容範囲内に保つことができる。以下にさらに詳細に説明するように、特に図３４Ａおよび図３４Ｂおよび図３７に関して、移行部は、作業面間で部分的な接触が発生した場合であっても、過度の接触応力のインスタンスを排除するために平滑化およびブレンドされることができる。
【００３０】
さらに、図６Ａおよび図６Ｂに示される作業面プロファイルは、互いに１８０度で離隔された上部１１６．３、１２６．３および下部１１６．１、１２６．１の平坦部分の対を示し、平坦部分の上部／下部対のより多いまたはより少ない数がピストン１１０および作動プレート１２０上に設けられることができることが理解される。例えば、ピストン１１０および作動プレート１２０の双方は、各対が全体のプロファイルの９０度にまたがるように、それぞれ４対の上部／下部平坦面（再び傾斜部分によって分離される）を備えることができる。さらにまた、図６Ａおよび図６Ｂは、上部および下部の平坦部分の間の単一の高さの違いを示している。しかしながら、異なるまたは中間レベルのロストモーションアセンブリ動作長が提供されることができるように（すなわち、ロストモーションアセンブリが最大の「固体」長よりも短い中間の「固体」動作長を有する動作状態）、複数の高さの平坦部分が提供されることができることが理解される。作業面６１６および６２６のそのような例は、図６Ｃおよび図６Ｄに示されている。認識されるように、図示の作業面プロファイルでは、ロストモーションアセンブリは、示されるように作業面が位置合わせされた第１のストロークを有する第１の動作状態をとることができ、移動面が接触する前に移動することができるため、傾斜面６２６．２は、傾斜面６１６．２と位置合わせされ、第１のストロークが定義される。第２の動作状態は、作動プレート作業面が図６Ｃに示される位置から右にシフトした結果であり、傾斜面６２６．２は、傾斜面６１６．４と整列しており、第２のストロークは、ロストモーションアセンブリに対して定義される。
【００３１】
さらに、台座が省略された図８Ａおよび図８Ｂを参照すると、図８Ａに示される「オフ」または非アクティブ化された位置では、平坦部分１２６．１（図６Ｂ）は、平坦部分１２６．１が平坦部分１１６．１に係合する点までばね１４０が圧縮するときに、ロストモーションアセンブリ１００が動作を吸収することができるように、ピストン作業面の平坦部分１１６．１（図６Ａ）と位置合わせされる。ロストモーションアセンブリ１００が完全に「オン」または作動位置まで図８Ｂの矢印の方向に作動されるとき、作動プレート作業面１２６の平坦部分１２６．１は、ロストモーションアセンブリ１００が剛性であって動作を吸収しないように、ピストン作業面１１６の平坦部分１１６．３と完全に係合される。
【００３２】
図９Ａ、図９Ｂおよび図９Ｃは、例示的なロストモーションアセンブリの動作位置を示している。図９Ａは、ピストン１１０の位置が対応するカムのベースサークルまたは最低点に対応する、ロストモーションアセンブリの「オフ」位置または状態に対応する。この状態では、ロストモーションアセンブリ１００は、内側のばねが圧縮されるときに動作を吸収することができるストローク長さ「Ｓ」を有する。図９Ｂは、ピークロストモーションが存在する「オフ」状態のロストモーションアセンブリを示している。すなわち、失われることを意図した全ての動作が失われ、ロストモーションアセンブリと相互作用するバルブトレイン構成要素からさらなる動作が与えられると、通常のバルブリフトが始まる。図９Ｃは、ピストンの位置がカムベース円に対応する「オン」状態のロストモーションアセンブリを示している。したがって、当業者によって理解されるように、作動プレートの回転は、ベースサークル上のピストンとのラッシュ吸収をもたらす。
【００３３】
図１０Ａ、図１０Ｂ、図１１Ａおよび図１１Ｂは、ロストモーションアセンブリの代替の実施形態を示している。この実施形態では、作業面５１６および５２６は、浅い傾斜部分を備えている。この構成は、部品間の摩擦が、ピストン１１０への負荷が作動プレートの回転を誘発するのを防ぐのに十分である場合に有用とすることができる。すなわち、接触角によって引き起こされる回転力は、接線力と摩擦係数によって提供される静止摩擦よりも小さくなる。この構成では、平坦面は、不要な場合がある。さらに、ロストモーションアセンブリのストロークは、傾斜角および作動プレートの回転度（すなわち、ソレノイドプランジャおよび／または作動アームの移動）を適切に選択することによって制御されることができる。図１１Ａおよび図１１Ｂは、作業面の形状を詳細に示している（縮尺どおりではない）。作業面の角度は、３度程度であり、相対回転に対する負荷および摩擦に基づいて決定されることができる。例えば、鋼と鋼、および潤滑摩擦係数が０．１の場合、５．７度の角度がほぼ平衡状態にあることができる。例えば、浅い３度の角度では、摩擦力は、作動プレート１２０を逆回転させる傾向がある回転力よりも約９０％大きい。負荷がかかると、アクチュエータは、負荷時の角度位置に留まる。ストローク制御のために、回転の範囲または程度を管理することができる。角度が同じに維持される場合には、１回転あたりのストロークも増やすことができるが、計算では、より大きな直径のピストンを使用して周囲長を増やすことができる。認識されるように、そのような緩やかな傾斜または浅い傾斜面は、急激な移行部を有さず、傾斜部分から平坦部分への移行を必要としない。そのため、軸受表面の部分的な係合と接触応力の増加の可能性が減少する可能性がある。また認識されるように、相対回転が発生するとき、傾斜は、フラットオンフラット接触を維持する。図１２Ａおよび図１２Ｂは、それぞれ、ロストモーション「オフ」およびロストモーション「オン」に対応する動作位置を示している。見てわかるように、作動プレートがピストンに対して回転するときに、急激な移行部は発生しない。図１３は、接触領域を示しており、これは、本質的に、円形リングの２つのセグメントのフラットオンフラット接触である。当業者によって認識されるように、接触領域の直径および幅、ならびに接触領域の長さは、動作中に接触応力が過度にならないことを確実にするために変更されることができる。
【００３４】
図１４Ａ、図１４Ｂ、図１４Ｃおよび図１４Ｄは、ピストン作業面および作動プレート作業面に傾斜を有するロストモーションアセンブリの動作状態を示している。これらの図は、それぞれ、０度、３０度、８０度、および１００度のアクチュエータプレートの回転に対応している。見てわかるように、作業面の相互作用は、アクチュエータの可変位置／ストロークを提供することができる。アクチュエータの緩やかな傾斜ランプは、無負荷時にピストンが容易に回転し、負荷がかかると摩擦によってピストンを所定の位置にロックすることを可能にする。作動は、回転式もしくは線形ステッピングモータ、または任意のタイプの可変位置もしくは可変力アクチュエータの方法を使用して変更され、複数の動作位置を提供することができる。傾斜ランプアクチュエータを所定の位置に移動して保持するために必要な力は、低角度の傾斜設計と、カムプロファイルのベースサークル位置においてメカニズムをアンロードする付勢ばねのために非常に低くなっている。
【００３５】
別の態様によれば、ロストモーションアセンブリは、ラッシュアジャスタを備えたシステムで動作するように構成されることができる。ラッシュは、バルブトレイン−例えば、プッシュロッドからロッカー、またはプッシュロッドからカムフォロアインターフェースを含む、カムからバルブへのリンケージの過度の遊びである。ラッシュは、過度のノイズ、衝撃負荷およびその他の問題を引き起こす可能性がある。ロストモーションアセンブリは、「通常の」主イベント動作中に不要なイベントを吸収するストロークを有するように設計されている。同様に、カムシャフトフォロア（またはシステムの他の場所）にラッシュアジャスタを備えたシステムもまた、バルブトレインのたるみを吸収するように設計されている。したがって、ロストモーション装置のストロークが、ラッシュアジャスタによってバルブトレインに導入された力の下で消耗しないことが重要である。ロストモーションアセンブリのばね力は、ラッシュアジャスタが動作してバルブトレインのたるみを吸収するときにアセンブリのストロークを維持するのに十分であると同時に、ロストモーションアセンブリがカムシャフトの動きの結果としてのみ圧縮されるようにする必要がある。したがって、ラッシュアジャスタは、通常、システムからたるみを取り除き、カムシャフトのロストモーションイベントを追跡するために、ロストモーションアセンブリのストロークを厳密に制御する必要がある。「ブレーキ」またはロストモーションラッシュは、設定される必要はない。むしろ、システムのストロークのみが設定される必要がある。
【００３６】
図１５Ａ、図１５Ｂ、および図１５Ｃは、ラッシュアジャスタを含むバルブ作動システムにおいて使用されることができるロストモーションアセンブリ１００の動作状態を示している。図１５Ａは、カムベースサークルに対応するピストン位置を備えた「オフ」状態のロストモーションアセンブリを示している。ピストン１１０のストローク「Ｓ」は、作動プレート１２０の作業面とピストン１１０との間の距離に対応する。この場合のストロークは、ロストモーションリフトに作動プレート１２０の回転を可能にするための小さな間隙を加えたものに等しい。この間隙は、＋／−０．００１インチ程度とすることができ、ピストン肩１１９と保持プレート２３０との間に配置されたシム２３５を使用して制御されることができる。したがって、シムの厚さ（非常に正確に決定されることができる）を使用して、作動プレートとピストン１１０との間の間隙を制御することができる。さらに、認識されるように、シムは、ロストモーションアセンブリのストローク「Ｓ」を設定するために使用されることができ、バルブトレインにラッシュアジャスタが存在するため、バルブシステムのラッシュは設定される必要はない。ロストモーションアセンブリばね１４０は、バルブトレイン内のラッシュアジャスタがラッシュを吸収するように動作するときに圧縮されないように十分な付勢力を発揮する。図１５Ｂは、例えば、ピーク圧縮解放リフトに対応するピストン１１０の位置を備えた「オフ」状態のロストモーションアセンブリを示している。これは、ロストモーションアセンブリが「安定」し、正の出力リフトが提供されるポイントである。したがって、リフト「Ｌ」は、シム２３５から持ち上げるピストン肩１１９と、ピストン１１０が作動プレート１２０としっかりと接触する点との間の移行中に失われる。図１５Ｃは、「オン」位置およびカムベースサークルに対応するピストン位置でのロストモーションアセンブリを示している。作動プレート１２０とピストン１１０との間のこの点に残っている小さな間隙は、作動プレート１２０の比較的容易な回転を可能にすることが理解されよう。さらに、この段階の作動プレートは、大きな負荷に耐えず、ロストモーションアセンブリばね１４０がラッシュアジャスタによって引き起こされるバルブトレイン内の力に対抗する力を及ぼし、ばねキャップ１５０を台座ボア９４の床（天井）９８に対して本質的に底に保つため、本質的に無負荷である。したがって、この状態での作動プレート１２０の作動は、力をほとんど必要とせず、頻繁な動作であっても、ロストモーションアセンブリ構成要素に過度の摩耗を与えることなく実装されることができる。低力作動の利用可能性はまた、作動コマンドがソレノイドまたは他の作動装置（ステッピングモータ、可変位置アクチュエータおよび可変力アクチュエータなどの漸進的作動装置を含むことができる）に対して開始されるときの迅速なシステム応答時間を提供する。
【００３７】
図１６Ａおよび図１６Ｂは、２位置オン／オフ作動システムの詳細を示している。作動プレート１２０の回転動作は、作動プレートポスト１２２の角度のオンおよびオフ位置を画定するスロット９２を台座に提供することによって制限されることができる。スロットは、台座に機械加工されることができる（図１も参照）。図１６Ａは、作動アームのオフ位置２１０’、ならびに作動アームのオン位置２１０’’、およびソレノイド２００によって動かされる作動プレート１２０の作動ポスト１２２の対応する位置を示している。スロット９２は、ロストモーションアセンブリの異なる用途およびストローク長を達成するように変更されることができる。図１７は、タイミングプレート２９０が、プレート２９０の回転調整を可能にし、したがって、作動プレートポスト１２２の移動範囲を調整する第２のスロット２９６の調整を可能にする第１のスロット２９４内の留め具２９２によって台座９０に調整可能に固定されることができる取り付け詳細のさらなる変更を示している。この実装は、アクチュエータピストンのラッシュと角度移動とを調整するために使用されることができる。
【００３８】
図１８は、所与の角度相対回転に対して増加した有効移動およびストロークを達成するために２組の相互作用する作業面を利用するロストモーションアセンブリ１１００の別の実施形態を示している。中央作動プレート１１２０は、２つの作業面１１２６．１および１１２６．２を含むことができ、それらのそれぞれは、それぞれのピストン１１１０．１および１１１０．２上の作業面と相互作用する。中央の作動プレートの回転動作は、半径方向に延在するポスト（図示せず）または作動アセンブリと係合することができる他の延長部によって達成されることができる。ピストン１１１０．１および１１１０．２は、保持アセンブリ内で回転静止状態を維持するように取り付けられている。付勢要素１１４０は、構成要素内に延在し、それらを別個の構成で付勢することができる。図１９Ａは、アセンブリがその最大ストロークまで拡張された状態で、アセンブリがベースサークル位置にある「オフ」位置を示している。図１９Ｂは、アセンブリの全ストロークが吸収されたときの「オフ」位置を示している。図１９Ｃは、ロストモーションアセンブリが固体の非圧縮性状態にあり、それによって完全なカム動作を伝達する「オン」位置を示している。認識されるように、この構成は、作動プレート１１２０の所与の回転度に対して、ロストモーションアセンブリストロークの増加を可能にする。
【００３９】
図２０は、図１に示されるようなロストモーションアセンブリピストンの代替の取り付けおよび回転防止構成を示している。ピストン１１０は、図１に示される保持リング２３０と同様の方法で台座９０に固定されることができる保持リング２３０上に相補的な形状のタブまたは突起２３８を受け入れる回転防止凹部１１２’を含むことができる。当業者によって認識されるように、本明細書に記載のロストモーションアセンブリの構成要素に対して、様々な取り付け構成が実装されることができる。
【００４０】
本開示の態様によれば、ロストモーションアセンブリとして機能する可変長ピストンアセンブリは、バルブロッカーアームに一体化されることができる。図２１および図２２を参照すると、ロッカーアーム２１５０は、ピンまたは車軸２１５６によってジャーナル２１５４内に固定されたローラー要素２１５２を含むことができる。ローラー要素２１５２は、公知のように、カム面（図示せず）と係合して、バルブ要素（図示せず）の動きに影響を与える。ロッカーアームシャフトジャーナル２１５８は、エンジン上の回動動作のためにロッカーアームを支持するロッカーアームシャフト（図示せず）を受け入れる。ロッカーアーム２１５０は、可変長アセンブリ／ロストモーションアセンブリ２１００の構成要素をその中に受け入れるためのロストモーションピストンアセンブリレセプタクルまたはボア２１８０を含むことができる。そのような構成要素は、ロストモーションピストンアセンブリボア２１８０に組み立てられて留め具２１７０によってその中に保持される、ロストモーションアクチュエータピストン２１１０、付勢ばね２１４０、ばねキャップ２１４５、および作動プレート２１２０を含むことができる。留め具２１７０は、回転を防止するが、その軸方向の動きを制限することを可能にするために、ロストモーションアクチュエータピストン２１１０のスロット２１１２と係合することができる。ロストモーションアクチュエータピストン２１１０および作動プレート２１２０は、相互作用して、他の実施形態と比較して上述した方法で選択的な軸方向動作を提供するそれぞれの作業面を備えている。作動ピン２１２２は、作動プレート２１２０から延在し、アクチュエータリンケージ２１２４と係合する。作動プレート２１２０は、アクチュエータレセプタクル２１９０内に固定された構成要素を作動させることによって動力が与えられるアクチュエータリンケージ２１２４からの力の下で、ロストモーションアクチュエータピストン２１１０に対して回転することができる。アクチュエータプレートリミッタ２１２６は、ロッカーアーム２１５０に固定されることができ、作動プレートピン２１２２の動き、したがって作動プレート２１２０の動きを制限することができる。作動プレートリミッタ２１２６はまた、作動プレートの回転位置を調整し、それによって、説明されるように、ロストモーションアセンブリ２１００のラッシュを設定することができる。
【００４１】
アクチュエータレセプタクル２１９０内の作動構成要素は、作動ピストン２１９２、作動ピストン付勢要素２１９４、付勢要素エンドプレート２１９６、およびその中に要素を保持するためにボア２１９０におけるスロット内で拡張するばね保持器または「Ｃ」クリップとすることができる保持要素２１９８を含むことができる。さらに図２３Ａおよび図２３Ｃを参照すると、作動ピストン２１９２は、作動ピストン２１９２およびレセプタクル２１９０によって画定されるチャンバ２３１２に油圧流体を供給する油路２３１０を介して油圧的に作動されることができる。油は、公知の方法でポートを使用してロッカーシャフトから選択的に供給されることができる。付勢要素２１９４は、作動ピストン２１９２にかかる油力を打ち消し、作動ピストン２１９２をその「オフ」位置（図２３Ａおよび図２３Ｃの左側）に戻す傾向がある。作動ピストン２１９２は、作動ピストン２１９２からレセプタクル２１９０の上部側壁に形成された細長開口部を通って延在するピン２１２５を用いてリンケージ２１２４に固定されることができる。リンケージ２１２４は、リンケージピボットピン２１２７を中心に回動する。動作中、作動アセンブリは、チャンバ２３１２内に十分な油圧作動油および圧力がない場合、図２３Ａに示される「オフ」状態にある。作動ピストン２１９２は、（図２３Ａの左側に）引き込まれ、作動プレートピン２１２２は、示されている位置にある。図２３Ｂに示されるように、この「オフ」状態は、積み重ねられた作動プレート２１２０およびピストン２１１０の短縮された長さに対応する。油圧作動油がチャンバ２３１２に流入すると、ピストン２１９２は、図２３Ｃに示される位置に移動し、したがって、作動プレートピン２１２２を示されている位置に移動させ、積み重ねられた作動プレート２１２０をピストン２１１０に対して回転させ、積み重ねられた作動プレートおよびピストン２１１０の有効長を増加させる。
【００４２】
図２４は、中央ピボット２４０８によってロッカーアームに回転可能に固定されることができ、調整留め具２４１２を受け入れるための調整スロット２４１０を含むことができるリミッタ２１２６のさらなる詳細を示している。作動ピン受け入れスロット２４１４は、作動プレートピン２１２２の動きを受け入れて制限する。したがって、リミッタ２１２６の回転調整を使用して、作動プレートピン２１２２の移動を制限し、したがって、ロストモーションアセンブリ２１００が受ける拡張を制限することができる。さらに、ラッシュは、リミッタ２１２６を使用して設定されることができる。留め具２４１２および２４０８を緩めることができ、ラックを手動で「オン」位置に移動させることができる。そして、リミッタ２１２６は、作動プレートピン２１２２がスロット２４１４の端部によって係合される位置まで回転されることができる。これは、過度のラッシュが存在するポイントを超えてピストンの延伸を効果的に低減させる。認識されるように、アセンブリのストロークは、スロット２４１４の形状によって固定される。したがって、リミッタ２１２６の回転は、「オフ」位置停止（スロット２４１４の右端の範囲）を調整することができる。例えば、リミッタ２１２６を反時計回りに回転させると、「オフ」位置ストップが反時計回りに移動し、アセンブリが「オフ」状態のときにピストンが傾斜に乗って部分的に延伸する。
【００４３】
本開示の態様によれば、可変長ピストンアセンブリは、ロストモーション用途以外の用途において使用されることができる。例えば、そのような可変長ピストンアセンブリは、ブリーダブレーキ用途において利用されることができる。当該技術分野において認識されるように、ブリーダブレーキ構成要素は、ブレーキ作用をもたらすために、エンジンサイクル中の適切な時間にエンジンバルブの僅かな持ち上げを提供する。図２５および図２６は、一体化された可変長ピストンアセンブリおよびアクチュエータセンブリを含む、例示的なブリーダブレーキハウジングの分解図および組み立て図をそれぞれ示している。ブリーダブレーキハウジング２５１０は、固定ボア２５１４を通って延在するハウジング留め具２５１２を使用して、例えば、排気バルブまたはバルブトレイン構成要素の上方でエンジンに固定されることができる。ブリーダブレーキハウジングは、可変長ピストンアセンブリ２５５０の構成要素を受け入れるための可変長ピストンアセンブリレセプタクル２５１６を含むことができる。作動アセンブリ取り付け延長部２５７１は、作動アセンブリをそれに固定するための１つ以上のねじボア２５７２を含むことができる。
【００４４】
例示的な可変長ピストンアセンブリ２５５０は、その上に画定されたピストン作業面２５５４を備えたピストン２５５２と、その上に画定された固定プレート作業面２５５８を備えた固定プレート２５５６とを含むことができる。これらのそれぞれの表面は、さらに説明される方法で相互作用して、相対的な回転動作に応答してピストン／固定プレートスタックの長さの変化を提供する。作動リング２５６０は、そこから延在する作動リングピン２５６２を含むことができる。ピストン付勢ばね２５６４がピン２５６２上に配置されることができる。調整止めねじ２５６９は、固定プレート２５５６の背面に当接し、ねじボア（図２５では隠されている）におけるハウジング２５１０内のナット２５６７によって固定されることができる。スナップリング保持器２５６１は、可変長ピストンアセンブリ構成要素をレセプタクル２５１６内に固定することができる。これらの構成要素とそれらの相互作用に関するさらなる詳細が以下に提供される。
【００４５】
作動アセンブリ２５７０は、ブリーダブレーキハウジング２５１０に固定されることができる。アセンブリ２５７０は、ねじ付き留め具２５７４によって取り付けブラケット２５７３に固定されかつコイル２５７２内での選択的な軸方向移動のために配置されたソレノイドプランジャ２５７５を有するソレノイドコイル２５７２を含むことができる。ばね要素２５７６は、ソレノイドプランジャを延伸方向に付勢することができる。プランジャ２５７５の端部は、説明されるように、ピストン２５５２の回転動作を引き起こすために回動されることができるリンケージ２５６６内の開口２５６８に固定されたヨークを含むことができる。
【００４６】
図２７Ａおよび図２７Ｂは、例示的な作動動作を示している。図２７Ａは、「オフ」位置にあるピストン２５５２を示す、ハウジング２５１０の下側からの図である。ソレノイドプランジャ２５７５は、図に見られるように、ピストン２５５２が「１０時」位置のピン２５６２の位置によって示される第１の回転位置にある延伸位置にある。ソレノイド２５７２が作動すると、プランジャ２５７５は、図２７Ｂに示される位置に後退し、これにより、ピストン２５５２は、図に見られるように、「８時」の位置にあるピン２５６２の位置によって示される第２の回転位置にある。この「オン」位置は、ピストンおよび固定プレートスタックの最大長と一致する。図４１Ａおよび図４１Ｂは、ピストン４１５２への歯車インターフェース４１３０を利用する代替の作動アセンブリ４１００を示し、これは、作動されたときにピストン４１５２に一定の回転速度および力をもたらすインボリュート要素とすることができる多数の歯車歯４１６２を備えることができる。作動アーム４１６６は、ピストン歯車歯４１６２と係合するいくつかの歯車歯４１６８をその端部に含むことができる。ソレノイドプランジャ４１７５からの作用下で、作動アーム４１６６は、図４１Ａに示される「オフ」位置から図４１Ｂに示される「オン」位置へのピストン４１５２の回転を引き起こすことができる。
【００４７】
図２８Ａおよび図２８Ｂは、それぞれ、ブリーダブレーキハウジング２５１０内の固定プレートおよびピストンアセンブリレセプタクルの回転防止取り付け構成の例を示している。固定プレート２５５６は、外周に１つ以上のノッチまたは凹部２８１０を備えることができる。さらに図２８Ｂを参照すると、ブリーダブレーキハウジング２５１０は、固定プレートがハウジング２５１０内の所定の位置に取り付けられたときに凹部２８１０に受け入れられる同数の突起２８２０を備え、それにより、ハウジング内の固定プレートの回転を防止することができる。
【００４８】
図２９は、例示的な可変長アセンブリの構成要素の設置位置、および調整止めねじ２５６７を使用したアセンブリの調整を示す断面図である。固定プレート２５５６は、ハウジング２５１０内の同様のサイズのボアに配置され、調整止めねじ２５６９の端部と当接して係合して、上述したように相対的な回転動作に対して固定される。認識されるように、調整ねじ２５６７を使用して、固定プレート２５５６のロックされた高さを調整することができる。例えば、ねじ２５６９の下方調整は、示されるように、固定プレート２５５６およびピストン２５５２の積み重ねられた構成要素の距離「Ｇ」だけの変位をもたらすことができる。したがって、この構成は、可変長アセンブリに対するラッシュおよび他の調整を可能にするのに有利である。
【００４９】
図３０は、ピストン作動リングピン２５６２がその中に取り付けられたピストン作動リング２５６０の斜視図である。図３１は、ピストン作動リング２５６０の代替の取り付け構成を示している。この例によれば、可変長アセンブリレセプタクル２５１６は、作動リング２５６０がその中に乗るためのジャーナルまたはガイドとして機能する座ぐり３１１０を備えることができる。スナップリング３１１２を使用して、座ぐり３１１０内に作動リング２５６０を固定することができる。この構成は、レセプタクル２５１６内の作動リング２５６０の結合またはコッキングを防止し、ピストン２５５２への側面負荷の影響を軽減し、可変長ピストンアセンブリ全体の円滑な動作を提供するのに有利である。
【００５０】
図３２および図３３は、ピストン付勢要素の特徴を含む、例示的な可変長ピストンアセンブリの構成要素がブリーダブレーキハウジングにどのように取り付けられることができるかに関するさらなる詳細を示している。この構成は、スペースが限られているバルブカバーの下方の制約されたスペースなどの用途において使用されることができる低プロファイルのピストン付勢機能を提供する。図３３は、環状ベース３３１０と、その側面に画定された横方向ポケットまたは凹部３３１４を有する中央隆起部分３３１２とを含むことができる例示的なピストンの詳細を示している。ばね２５６４を受け入れ、ピン２５６２の端部の間隙を可能にするために、円形凹部３３１６もベース３３１０に形成されている。図３２は、ピストンアセンブリ構成要素の配置を示す断面図である。ピストン２５５２（図３３と比較して反転した位置で示されている）は、レセプタクル２５１６のボア内に延在する。作動リング２５６０は、回転動作のためにボア３２１０内に保持され、作動リングピン２５６２は、円形ポケット３３１６内に上方に延在し、横方向ポケット３３１４内に配置される。スナップリング２５６１は、作動リングおよびピストンを所定の位置に保持する。認識されるように、ばね２５６４は、ブリーダブレーキ動作が提供されていないときにバルブまたはバルブトレイン構成要素との接触を防ぐために、ピストン２５５２に比較的軽い上向きの付勢力を提供する。
【００５１】
図３４Ａ、図３４Ｂ、および図３４Ｃは、例示的な可変長ピストンアセンブリの異なる動作位置を示している。図３４Ａでは、アセンブリは、アセンブリの有効長が最小になるように、固定プレート２５５６およびピストン２５５２の作業面が完全に相補的に係合した状態で「オフ」位置にある。図３４Ｂでは、ピストンは、作業面の平坦部分が部分的に係合し、アセンブリの有効長がその全範囲にあるように、中間位置に回転される。図３４Ｃでは、ピストンは、完全に回転し、作業面の接触面積が増加し、有効長を完全な範囲に維持している。認識されるように、約７０度の回転を約１．５ｍｍの延長およびロックに変換し、５０度の回転で完全な１．５ｍｍのリフトおよび追加の回転を生成し、作業面上の接触面積を増加させる作業面プロファイルを提供することができる。
【００５２】
本開示の態様によれば、作業面プロファイルは、相互作用するピストンおよび固定プレートが経験するピーク接触応力を有利に低減する可変長ピストンアセンブリ上に提供される。より具体的には、作業面の傾斜部分は、利用可能な可変ピッチらせんの形態である表面を含むことができる。そのような表面は、部分的な係合の場合、すなわち、ピストン表面が固定プレート表面と係合するときにピストンが部分的にアクティブ化された位置にあるとき、ピストン表面と固定プレート表面との間に「コーンオンコーン」接触形状をもたらす。この接触形状は、接触応力が過度にならないように構成されることができる。図３５および図３６は、それぞれ、ピストンおよび固定プレート上のらせん状の作業面の例の詳細を示す斜視図である。ピストン３５１０は、可変ピッチ対称らせんの形態を有する２つのランプ３５２０．１および３５２０．２を備えたらせん状の作業面を含むことができる。中央に接線勾配断面を設けることができる。例示的な実装では、傾斜部分のリフトおよびピッチは、表面の中心軸の周りの半径方向の掃引の約５０度にわたって延在することができ、平坦領域３５３０．１および３５３０．２は、この回転を超えている。より具体的には、ゼロから約２４度の半径方向の掃引から、ピッチは、ゼロ（平坦表面）から２１のピッチ（接線傾斜）まで進行することができる。２１のピッチでは、１度の滞留がある可能性がある。さらに半径方向の掃引位置が２５から５０度の場合、ピッチは、２１のピッチから０のピッチに進む（後退する）ことができる。同様に、固定プレート３６１０は、可変ピッチ対称らせんの形態の２つの傾斜３６２０．１および３６２０．２を有し、約５０度だけ延在することができ、平坦領域３６３０．１および３６３０．２は、この回転を超えている。
【００５３】
図３７は、ピストン３５１０および固定プレート３６１０のそれぞれの傾斜部分３５２０．１および３６２０．１の係合を概略的に示している。図３８は、中心からの３つの異なる半径での表面の曲率を示す等高線３５５０．１、３５５０．２および３５５０．３を有する複雑ならせん表面プロファイルのさらなる詳細を示している。認識されるように、ピッチおよび曲率は、異なる半径で変化する。任意の所与の半径において、らせんは、軸を中心とした表面の角度掃引であるとともに、指定されたピッチで軸方向に平行移動する。複雑な湾曲した傾斜の場合、掃引が角度を回転するにつれてピッチが変化する。角度の中間点でピークに到達するゼロピッチで始まり、最後にゼロピッチで終わる形状が上記に示されている。
【００５４】
図３９Ａ〜図３９Ｅは、図３５に示されるように、それぞれの半径方向平面で取られた、らせん状の傾斜部分を有する例示的なロストモーションアセンブリピストンの断面図である。図３９Ａの断面図は、下側の平坦領域から移行した直後の傾斜３５２０．１および３５２０．１の高さを示している（上から見たときに反時計回りの方向に進んでいる）。右側の背景には、隆起した平坦領域３５３０．２の１つが視認可能である。図３９Ｂは、傾斜３５２０．１および３５２０．２の僅かに高い高さを示している。図３９Ｃおよび図３９Ｄは、傾斜３５２０．１および３５２０．２のさらに高い高さを示しており、図３９Ｄは、平坦領域３５３０．２とほぼ同一平面である傾斜３５２０．１および３５２０．２の高さを示している。図３９Ｅは、平坦領域３５３０．１および３５３０．２を通る断面を示している。
【００５５】
接触応力をさらに低減するために、傾斜３５２０．１および３５２０．１の可変ピッチらせん面は、半径方向に僅かな曲率（すなわち、大きな曲率半径）を備え、ピストンの外側半径においてより多くの接触面積を提供するように配向されることができる。図３９Ｄには、断面の半径方向平面における表面３５２０．１の半径「Ｒ」の僅かな曲率を示すように注釈が付けられている。曲率半径は、３００から５００ｍｍ程度とすることができる。さらに、示されるように、曲率は、半径原点「Ｏ」がピストンの回転軸「Ａ」からオフセットされることができるように配向されることができる。この曲率の配向は、ピストンの外側半径方向縁の近くの表面の非常に僅かに高い高さを提供し、それによってピストンと作動プレートとの間の接触を付勢し、ピストンの外側半径方向縁の近くにおいて僅かに大きな接触力が発生し、したがって、線接触のより広い幅の領域に広がり、接触応力を低減させる。
【００５６】
図４０Ａおよび図４０Ｂは、接触応力を低減する際の半径方向湾曲面形状の利点を示している。図４０Ａは、平坦な断面プロファイルを有する傾斜（すなわち、図３９Ａ〜Ｄのいずれかの表面を表す半径方向に延在する線３５２０．１に曲率がない場合）の接触応力の結果を示している。図４０Ｂは、傾斜面の断面プロファイルに僅かな曲率を有する傾斜の接触応力の結果を示している。見てわかるように、傾斜面の半径方向曲率は、ピストンの内側領域（半径が小さい）の場合よりも僅かに広い線接触領域にわたって分散された、ピストンの外側領域（より大きな半径）がより高い接触力をサポートするように接触力を分散させるため、接触応力の大幅な低減をもたらすことができる。
【００５７】
認識されるように、それぞれの作業面の可変ピッチ対称らせんセクションの相互作用は、それぞれの傾斜部分が互いに係合する場合に、すなわち、ピストンが中間回転方向にあるときの表面係合中に、ピストン作業面と固定プレート作業面との間のシリンダ線接触をシリンダに提供する。「オン」作動シーケンスが開始された場合、平坦領域が整列していないときにピストンと固定プレートとの係合が発生し、負荷が加えられたときにそれぞれの傾斜部分が係合する場合、接触は、ピーク接触応力が低減されることができる十分な幅の線接触になり、したがって、材料の限界を超える接触応力の発生を防ぐことができる。さらに、そのような場合、および傾斜が８度を超える場所で線接触が発生すると、ピッチは、ピストンがバルブトレイン力の下で回転してオフ位置に戻ることを可能にすることができる。
【００５８】
認識されるように、本開示の態様によれば、様々な製造方法を使用して、可変長ピストンおよびピストンアセンブリを作成することができる。そのような方法は、冷間成形、熱間成形、粉末金属成形、鋳造または従来の機械加工のステップを含むことができる。成形後硬化は、これらのステップの１つ以上によって使用されることができる。
【００５９】
本実装は、特定の例示的な実施形態を参照して説明されてきたが、特許請求の範囲に記載されているようなより幅の広い本発明の趣旨および範囲を逸脱しない範囲で、様々な変更および変形がこれらの実施形態に行われ得ることが明らかになるであろう。したがって、明細書および図面は、限定的ではなく例示的なものであるとみなされるべきである。
【図１】
2022502602.tif 000003
【図２】
2022502602.tif 000004
【図３】
2022502602.tif 000005
【図４】
2022502602.tif 000006
【図５Ａ】
2022502602.tif 000007
【図５Ｂ】
2022502602.tif 000008
【図６Ａ】
2022502602.tif 000009
【図６Ｂ】
2022502602.tif 000010
【図６Ｃ】
2022502602.tif 000011
【図６Ｄ】
2022502602.tif 000012
【図７】
2022502602.tif 000013
【図８Ａ】
2022502602.tif 000014
【図８Ｂ】
2022502602.tif 000015
【図９Ａ】
2022502602.tif 000016
【図９Ｂ】
2022502602.tif 000017
【図９Ｃ】
2022502602.tif 000018
【図１０Ａ】
2022502602.tif 000019
【図１０Ｂ】
2022502602.tif 000020
【図１１Ａ】
2022502602.tif 000021
【図１１Ｂ】
2022502602.tif 000022
【図１２Ａ】
2022502602.tif 000023
【図１２Ｂ】
2022502602.tif 000024
【図１３】
2022502602.tif 000025
【図１４Ａ】
2022502602.tif 000026
【図１４Ｂ】
2022502602.tif 000027
【図１４Ｃ】
2022502602.tif 000028
【図１４Ｄ】
2022502602.tif 000029
【図１５Ａ】
2022502602.tif 000030
【図１５Ｂ】
2022502602.tif 000031
【図１５Ｃ】
2022502602.tif 000032
【図１６Ａ】
2022502602.tif 000033
【図１６Ｂ】
2022502602.tif 000034
【図１７】
2022502602.tif 000035
【図１８】
2022502602.tif 000036
【図１９Ａ】
2022502602.tif 000037
【図１９Ｂ】
2022502602.tif 000038
【図１９Ｃ】
2022502602.tif 000039
【図２０】
2022502602.tif 000040
【図２１】
2022502602.tif 000041
【図２２】
2022502602.tif 000042
【図２３Ａ】
2022502602.tif 000043
【図２３Ｂ】
2022502602.tif 000044
【図２３Ｃ】
2022502602.tif 000045
【図２３Ｄ】
2022502602.tif 000046
【図２４】
2022502602.tif 000047
【図２５】
2022502602.tif 000048
【図２６】
2022502602.tif 000049
【図２７Ａ】
2022502602.tif 000050
【図２７Ｂ】
2022502602.tif 000051
【図２８Ａ】
2022502602.tif 000052
【図２８Ｂ】
2022502602.tif 000053
【図２９】
2022502602.tif 000054
【図３０】
2022502602.tif 000055
【図３１】
2022502602.tif 000056
【図３２】
2022502602.tif 000057
【図３３】
2022502602.tif 000058
【図３４Ａ】
2022502602.tif 000059
【図３４Ｂ】
2022502602.tif 000060
【図３４Ｃ】
2022502602.tif 000061
【図３５】
2022502602.tif 000062
【図３６】
2022502602.tif 000063
【図３７】
2022502602.tif 000064
【図３８】
2022502602.tif 000065
【図３９Ａ】
2022502602.tif 000066
【図３９Ｂ】
2022502602.tif 000067
【図３９Ｃ】
2022502602.tif 000068
【図３９Ｄ】
2022502602.tif 000069
【図３９Ｅ】
2022502602.tif 000070
【図４０Ａ】
2022502602.tif 000071
【図４０Ｂ】
2022502602.tif 000072
【図４１Ａ】
2022502602.tif 000073
【図４１Ｂ】
2022502602.tif 000074
【国際調査報告】
2022502602.tif 000075
2022502602.tif 000076